(57)【要約】【課題】幼児等が使い捨てライターをもて遊び、火事になって死亡する等の大事故が多発し、社会問題になっている。このことを防止するために使い捨てライターを簡単に幼児等が、もて遊んでも、着火出来ないような安全な使い捨てライターを開発することが、課題である。【解決手段】安全な使い捨てライターを開発するためには、押し下げ部だけを下げて着火することではなく、幼児等がもて遊んでも容易に着火出来ない他の安全な装置を装備しなければならない。そのための解決手段として、本発明は、押し下げ部と連動する、着火スイッチ棒の中に、凹部、又は、穴をつくり、その中にキーを出し入れして、着火をコントロールする装置や、又、押し下げ部の下にキーを出し入れして着火をコントロールする装置等を開発し、安全な使い捨てライターを開発したのがこの発明である。【選択図】図９
2011247569.tif 000002
【特許請求の範囲】
【請求項１】
使い捨てライターの中で、上下する着火スイッチ棒の中に、キーとなる異物が入って、上下出来ないように凹部又は、穴をつくつたことを特徴とした使い捨てライター。
【請求項２】
使い捨てライターのプリント式又は、スライド式等で、押し下げ部を下げた時に、連動する着火スイッチ棒の凹部又は穴の中に異物のキーを差し込み、着火出来ないように、又、は引き抜いて、押し下げ部を下げれば着火出来るキーを装備したことを特徴とした安全な使い捨てライター。
【請求項３】
使い捨てライターのプリント式又は、スライド式等で、押し下げ部の下に異物のキーを差し込み着火出来ないように、又は、キーをもどして押し下げ部を下げれば着火出来るキーを装備したことを特徴とした安全な使い捨てライター。
【請求項４】
請求項１．２．３記載の使い捨てライターで、幼児がもて遊んでも、容易に着火出来ないことを特徴とした安全な使い捨てライターの製造方法。
【請求項５】
請求項１．２．３記載の使い捨てライターで、幼児がもて遊んでも容易に着火出来ないことを特徴とした安全な使い捨てライターの装置。
【請求項６】
請求項１．２．３記載を特徴とした使い捨てライターの使用方法。
【発明の詳細な説明】
【技術の分野】
【０００１】本発明は、使い捨てライターを、幼児等がもて遊んでも着火を防止するための安全な使い捨てライターに関する。
【背景の技術】
【０００２】近年幼児等の使い捨てライターによる火災の事故が多発し、社会問題になっている。そのため諸外国でもそれを防止するため、安全な使い捨てライターが新たに開発されている。それを新たな方法で安全な使い捨てライターを開発したのが本発明のライターである。
【発明の開示】
【発明が解決しようとする課題】
【０００３】背景の技術の課題である従来の使い捨てライターは、容易に着火出来るため、幼児の火遊び事故が多発しているのを防止するため、幼児が使い捨てライターをもて遊んでも容易に着火出木ないように本発明が解決するのが課題である。
【課題を解決するための手段】
【０００４】課題を解決するための１番目は従来の押し下げ式や、プリント式の使い捨てライター又、諸外国で開発された押し下げ部を固くしたり、プリント式のヤスリの中央に滑り安い金属板を仕込んである等の方法と違い、押し下げ部と連動する着火スイッチ棒が下っても着火しないように、キーを挿入出来るための凹部又は穴を着火スイッチ棒にもうけたことを特徴とした方法である。
この発明の２番目は、押し下げ部と連動しているスイッチ棒にもうけられた凹部又は穴の中にライターのシヤーシの外から或は、内部にバネ付きのキーを挿入すると押し下げ部を下げても着火スイッチ棒が下がらないので着火出来ない。
この発明の３番目は、プリント式又は押し下げ式の場合、ライターのシヤーシの外からキーを押し下げ部の下に入れて押し下げても下がらないようにして、着火出来ないようにする。
着火の場合はキーを作動するためのレバーを上に上げればキーが押し下げ部の下よりはづれるため押し下げ部を下げれば連動する着火スイッチ棒が下がり、着火する。
着火後押し下げ部が上に上がった時、自動的にキーが押し下げ部の下に入るため再度押し下げ部を下げようとしても、下がらない、したがって着火は出来ない。
この発明の４番目としては、１番目２番目、３番目に述べたことを特徴とした使い捨てライターの製造方法である。
この発明の５番目としては、１番目、２番目、３番目に述べたことを、特徴した使い捨てライターの装置である。
この発明の６番目としては、１番目、２番目、３番目に述べたことを、特徴とした使い捨てライターの使用方法である。
【発明の効果】
【０００５】従来の使い捨てライター又、新しく開発された押し下げ部分を固くしたり、プリント式でヤスリの中央に滑り安い金属板を差し込んだりした使い捨てライター等が有るが、本発明は、着火した後、押し下げ部を下げて着火しようとしても、キーが着火スイッチ棒の凹部又は穴よりはづれない限り着火が出来なく、又、押し下げ部の下よりキーがはづれない限り着火が出来ないのが本発明の特徴で効課は多大である。
【発明を実施するための最良の形能】
【０００６】本発明を実施するための最良の形能としては、幼児等が、使い捨てライターをもて遊んでも、着火出来ないようにし、着火の場合は２つの動作を同時にしなければ着火出来ないのが本発明の最良の形能であり、方法である。
【実施例】
【０００７】本発明は、大人等が着火した後、キーを解除しない限り、着火しないので、幼児等がこのライターをもて遊んで着火しようとしても２つの動作を同事にしなければ着火出来ない。
【産業上の利用の可能性】
【０００８】本発明の使い捨てライターは、着火までの安全装置をほどこして有り、幼児等がこのライターをもて遊んでも着火出来ないのが目的であり、この発明は、産業上の利用の可能性としては、安全な使い捨てライターとしては多大である。
【図面の簡単な説明】
【０００９】
【図１】は、従来の使い捨てライターの立面図である。
【図２】は、従来の押し下げ式使い捨てライターのシヤーシの外にキーを取り付けた正面図。（このストツパーのキーはライターの横でも正面でも良い）。
【図３】は、（図２）を横から見た図。
【図４】は、使い捨てライターの着火スイッチ棒の凹部又は穴の中にキーが入り込んで押し下げ部を下げても着火出来ないようにした平面断面図。
【図５】は、（図４）を側面から見た時の側面図。着火スイッチ棒の中にキーが入って着火出来ない図。
【図６】は、（図５）を正面から見た時の断面詳細図で、着火スイッチ棒の中にキーが入って着火出来ない図。
【図７】は使い捨てライターの着火スイッチ棒の凹部又は、穴の中よりキーがはづれて押し下げ部を下げると連動している着火スイッチ棒が下がり着火出来る時の平面断面図。
【図８】は（図７）を側面から見た時の側面図。着火スイッチ棒の中よりキーがはづれて着火出来る図。
【図９】は、（図８）を正面から見た時の断面詳細図で、着火スイッチ棒の中よりキーがはづれて着火出来る図。
【図１０】は（図６）の展開図でキーが着火スイッチ棒の中に入っている時の断面詳細図。
【図１１】は、（図９）の展開図でキーが着火スイッチ棒よりはづれている時の断面詳細図。
【図１２】は、ライターの内部に有るキーが押し下げ部と連動している着火スイッチ棒の凹部又は穴の中に入っている図。
【図１３】は、（図１２）の側面図。
【図１４】は（図１２）の平面図。
【図１５】は、ライターの内部に有るキーが押し下げ部と連動している着火スイッチ棒の凹部又は、穴の中よりはづれている図。
【図１６】は（図１５）の側面図。
【図１７】は（図１５）の平面図。
【図１８】は押し下げ部の下にキーが入っている時の断面展開図。
【図１９】は（図１８）の姿図で、レバーをバネで下げている図。
【図２０】は（図１８）の姿図で、バネのかわりに押し下げ部と一体になったレバーを押し下げるための部材でレバーを下げてキーを押し下げ部の下に入れている時の図。
【図２１】は（図１８）の平面図で、キーが着火スイッチ棒の下に入っている時の図。
【図２２】は押し下げ部の下よりキーがはづれている時の平面図。
【図２３】は（図２０）の押し下げ部と一体になった部材で、押し下げ部を下げ、レバーを下げている時の平面図。
【符号の説明】１−従来の使い捨てライター。
２−押し下げ部。
３−着火スイッチ棒の中の凹部又は穴の中に出入するキー。
４−キーの箱。
５−４の箱の中に有るキーを上下するためのコイルバネ。
６−着火スイッチ棒。
７−着火スイッチ棒を出し入れするための箱。
８−着火スイッチ棒の中に有る凹部又は穴。
９−ライターのシヤーシ部。
１０−着火用管．（着火スイッチ棒が作動した時着火する。）
１１−ガス管。
１２−ライターの内部に有る着火スイッチ棒のストッパー用キー。
１３−１２のキーを固定するための穴。
１４−１２のキーを着火スイッチ棒の穴より出し入れするためのレバー。
１５−押し下げ部の下に出し入れすためのキー。
１６−１５のキーを固定するための穴。
１７−１６のキーを押し下げ部の下より出し入れを調整するためのレバー。
１８−１７のレバーを押し下げるためのバネ。
１９−１７のレバーを押し下げるための２の押し下げ部に一体となっている部材。
２０−着火防護金属。
【図１】
2011247569.tif 000003
【図２】
2011247569.tif 000004
【図３】
2011247569.tif 000005
【図４】
2011247569.tif 000006
【図５】
2011247569.tif 000007
【図６】
2011247569.tif 000008
【図７】
2011247569.tif 000009
【図８】
2011247569.tif 000010
【図９】
2011247569.tif 000011
【図１０】
2011247569.tif 000012
【図１１】
2011247569.tif 000013
【図１２】
2011247569.tif 000014
【図１３】
2011247569.tif 000015
【図１４】
2011247569.tif 000016
【図１５】
2011247569.tif 000017
【図１６】
2011247569.tif 000018
【図１７】
2011247569.tif 000019
【図１８】
2011247569.tif 000020
【図１９】
2011247569.tif 000021
【図２０】
2011247569.tif 000022
【図２１】
2011247569.tif 000023
【図２２】
2011247569.tif 000024
【図２３】
2011247569.tif 000025